(57)【特許請求の範囲】
【請求項１】
販売機本体の底面の複数の角部に下方に向かって突設された複数の支持脚を有する自動販売機を梱包するための自動販売機の梱包装置であって、
前記複数の支持脚の各々は、前記複数の角部の各々に螺合し、上下方向に延びる雄ねじ部と、この雄ねじ部の下端部に設けられ、当該雄ねじ部の径よりも幅が大きいねじ頭部とを有しており、
上下方向に延びるとともに前記ねじ頭部の幅以上の内径を有する筒状に形成され、前記複数の支持脚の各々に、これを覆い且つ前記底面に下方から当接するようにそれぞれ装着され、前記販売機本体を支持する複数の支持脚カバーと、
前記複数の支持脚の各々の前記雄ねじ部に取り付けられるとともに、前記複数の支持脚カバーの各々の内部に圧入されることにより、当該各支持脚カバーを前記各支持脚にそれぞれ装着された状態に保持する複数のカバー保持部材と、を備え、
当該複数のカバー保持部材の各々は、前記雄ねじ部を挿通可能に形成され、当該雄ねじ部を挿通した状態で、当該各カバー保持部材を当該雄ねじ部に取り付けるための複数の孔を所定位置に有し、当該複数の孔が互いに重なり合うように折り畳まれた板紙で構成されていることを特徴とする自動販売機の梱包装置。
【請求項２】
前記板紙には、前記複数の孔の各々から外面に達するように延び、互いに重なり合う第１スリットが形成されていることを特徴とする請求項１に記載の自動販売機の梱包装置。
【請求項３】
前記板紙には、前記第１スリットに連なり、外面側に向かって次第に幅が広がる切欠きが形成されていることを特徴とする請求項２に記載の自動販売機の梱包装置。
【請求項４】
前記板紙には、前記複数の孔の各々から、前記第１スリットと反対側に外面に達しない途中まで延び、互いに重なり合う第２スリットが形成されていることを特徴とする請求項２または３に記載の自動販売機の梱包装置。
【請求項５】
前記板紙には、前記複数の孔の各々から外面に達するように延びるとともに、幅が前記孔の縁部で当該孔の直径よりも若干小さく且つ外面側に向かって次第に広がる切欠きが形成されていることを特徴とする請求項１に記載の自動販売機の梱包装置。
【発明の詳細な説明】
【０００１】
【発明の属する技術分野】
本発明は、自動販売機を、その製造終了後から設置までの間に、保管や輸送、移動に適した状態で梱包する自動販売機の梱包装置に関する。
【０００２】
【従来の技術】
図８は、従来一般に用いられている自動販売機の梱包装置を示している。同図に示すように、この梱包装置３１は、自動販売機３２を立てた状態で載せるパレット３３と、自動販売機３２に上方からかぶせられ、その前後左右の外面および上面を覆うビニールなどからなるカバー袋３４と、その状態で自動販売機３２の頭部にはめられる、段ボールなどからなるキャップ３５と、パレット３３、カバー袋３４およびキャップ３５を固定するために、それらをまとめて縛り付ける２本のＰＰバンド３６、３６などで構成されている。自動販売機３２は、同図に示すように梱包された状態で、保管、輸送、およびフォークリフト（図示せず）による移動などが行われ、保管については、２段に積み上げた状態（以下「段積み」という）で行われる場合もある。
【０００３】
パレット３３は、フォークリフトによる移動・運搬に用いられるものであり、複数の木製の板材を、釘を用いて所定形状に組み立てて構成されている。このパレット３３は、概ね次のような機能を有している。すなわち、▲１▼フォークリフトのフォークを挿入可能なスペースＣ（例えば高さ６０ｍｍ以上）を確保する、▲２▼自動販売機３２の重量およびフォークからの荷重を支持する、などの機能である。また、パレット３３の上面の四隅には、収容孔３３ａがそれぞれ形成されており、自動販売機３２を梱包した際には、これらの収容孔３３ａに、自動販売機３２の底面の四隅にねじ込まれた図示しない支持脚（レベリング）が収容されるようになっている。なお、各支持脚は、自動販売機３２を設置場所の基礎に固定するとともに、その水平調整を行うために、自動販売機３２に一般的に設けられているものである。
【０００４】
また、カバー袋３４は、自動販売機３２をほこりや湿気などから保護するとともに、ＰＰバンド３６の締め付けによる損傷などを防止する役割を果たす。さらに、キャップ３５は、自動販売機３２、３２を段積みした際に、それらが相互に直接、接触しないようにすることで、自動販売機３２の特に天面の損傷などを防止する他、隣合せに置かれた自動販売機３２、３２の相互間に隙間を確保するなどの機能も有している。
【０００５】
【発明が解決しようとする課題】
しかし、上記の梱包装置３１では、パレット３３、カバー袋３４、キャップ３５およびＰＰバンド３６、３６はすべて、使い捨てのものとなっており、自動販売機３２の設置後に廃棄されているのが現状である。このことは、最近の資源の再生あるいは再利用の要請に反するものであり、梱包装置３１においても改善を施すことが望ましい。特に、パレット３３については、そのまま再利用するためには、その再利用時に備えて広い保管スペースが必要となる一方、再生や廃棄を行うためには釘抜きを含む解体作業が必要となる。しかも、パレット３３には、木材を多量に使用しているため、自然環境保全の観点から、パレット３３の使用を廃止することが好ましい。
【０００６】
本発明は、以上のような課題を解決するためになされたものであり、梱包装置に要求される機能を維持しながら、梱包材の使用量および廃棄量を可能な限り削減することで、省資源化を促進することができる自動販売機の梱包装置を提供することを目的とする。
【０００７】
【課題を解決するための手段】
本発明に係る自動販売機の梱包装置は、販売機本体の底面の複数の角部に下方に向かって突設された複数の支持脚を有する自動販売機を梱包するための自動販売機の梱包装置であって、複数の支持脚の各々は、複数の角部の各々に螺合し、上下方向に延びる雄ねじ部と、この雄ねじ部の下端部に設けられ、雄ねじ部の径よりも幅が大きいねじ頭部とを有しており、上下方向に延びるとともにねじ頭部の幅以上の内径を有する筒状に形成され、複数の支持脚の各々に、これを覆い且つ底面に下方から当接するようにそれぞれ装着され、販売機本体を支持する複数の支持脚カバーと、複数の支持脚の各々の雄ねじ部に取り付けられるとともに、複数の支持脚カバーの各々の内部に圧入されることにより、各支持脚カバーを各支持脚にそれぞれ装着された状態に保持する複数のカバー保持部材と、を備え、複数のカバー保持部材の各々は、雄ねじ部を挿通可能に形成され、雄ねじ部を挿通した状態で、各カバー保持部材を雄ねじ部に取り付けるための複数の孔を所定位置に有し、複数の孔が互いに重なり合うように折り畳まれた板紙で構成されていることを特徴とする。
【０００８】
この構成によれば、雄ねじ部およびねじ頭部を有する支持脚が、販売機本体の底面の複数の角部にそれぞれ、雄ねじ部を螺合した状態で突設されており、複数の支持脚カバーの各々が、カバー保持部材によって、支持脚に装着された状態に保持される。支持脚カバーは、上下方向に延びるとともに支持脚のねじ頭部の幅以上の内径を有する筒状に形成されており、支持脚にこれを覆い且つ販売機本体の底面に下方から当接するように装着された状態で、販売機本体を支持する。これにより、支持脚に関わりなく、販売機本体の支持面と底面との間に、支持脚カバーと同じ高さの隙間を確保することができる。したがって、その隙間、すなわち支持脚カバーの高さを、フォークリフトのフォークが挿入可能な寸法に設定することによって、その状態で、自動販売機をフォークリフトで移動させることが可能となる。このように、上記構成の梱包装置により、従来のパレットに要求される前述した機能を確保することができるので、パレットを使用しなくても、フォークリフトによる自動販売機の移動・運搬を安定して行うことができ、パレットを省略できる分、梱包材の使用量および廃棄量を削減し、省資源化を促進することができる。
また、支持脚カバーは、支持脚の雄ねじ部に取り付けられたカバー保持部材が内部に圧入された状態で、支持脚に装着されるので、販売機本体をフォークリフトで持ち上げ、支持脚カバーが支持面から離れたときであっても、その支持脚カバーは支持脚から脱離してしまうことがなく、支持脚に装着した状態に保たれる。また、支持脚カバーが上記のようにして支持脚に装着されるので、その装着を容易に行うことができるとともに、支持脚からの取り外しも容易に行うことができる。
さらに、カバー保持部材は、支持脚の雄ねじ部を挿通可能に形成され、その雄ねじ部にカバー保持部材を取り付けるための複数の孔を所定位置に有する板紙から成り、その板紙が、複数の孔が互いに重なり合うように折り畳まれることによって製造される。したがって、カバー保持部材を容易にかつ低コストで得ることができる。また、孔が互いに重なり合うことによって形成される孔群に、支持脚の雄ねじ部を挿通させることにより、この雄ねじ部にカバー保持部材を容易に取り付けることができる。
【００１３】
請求項２に係る自動販売機の梱包装置は、請求項１において、板紙には、複数の孔の各々から外面に達するように延び、互いに重なり合う第１スリットが形成されていることを特徴とする。
【００１４】
この構成によれば、板紙を折り畳んでカバー保持部材を形成すると、上記第１スリットが互いに重なり合うことによって、上記孔群から外面に達するように延びる第１スリット群が形成される。したがって、自動販売機の設置時など、カバー保持部材を支持脚の雄ねじ部から取り外すときには、第１スリット群を横方向に雄ねじ部の径よりも大きく広げながら、カバー保持部材を雄ねじ部からその軸線と直交する方向に引き抜くことによって、支持脚を販売機本体から取り外すことなく、カバー保持部材を容易に取り外すことができる。
【００１５】
請求項３に係る自動販売機の梱包装置は、請求項２において、板紙には、第１スリットに連なり、外面側に向かって次第に幅が広がる切欠きが形成されていることを特徴とする。
【００１６】
この構成によれば、カバー保持部材には、上記切欠きが互いに重なり合うことによる切欠き群が、上記第１スリット群に連なるように形成される。したがって、カバー保持部材を支持脚の雄ねじ部から取り外すときには、切欠き群に指を引っかけて、第１スリット群を容易に大きく広げることができ、その結果、カバー保持部材をより一層容易に取り外すことができる。
【００１７】
請求項４に係る自動販売機の梱包装置は、請求項２または３において、板紙には、複数の孔の各々から、第１スリットと反対側に外面に達しない途中まで延び、互いに重なり合う第２スリットが形成されていることを特徴とする。
【００１８】
この構成によれば、カバー保持部材には、上記第２スリットが互いに重なり合うことによる第２スリット群が、上記孔群を間にして、上記第１スリット群と反対側に外面に達しない途中まで延びるように形成される。これにより、第１スリット群を２段階で広げることができ、カバー保持部材を支持脚の雄ねじ部からより一層容易に取り外すことができる。
【００１９】
請求項５に係る自動販売機の梱包装置は、請求項１において、複数の孔の各々から外面に達するように延びるとともに、幅が孔の縁部で孔の直径よりも若干小さく且つ外面側に向かって次第に広がる切欠きが形成されていることを特徴とする。
【００２０】
この構成によれば、カバー保持部材には、上記切欠きが互いに重なり合うことによって、上記孔群から外面に達するように延びる幅広の切欠き群が形成される。これにより、支持脚の雄ねじ部へのカバー保持部材の取り付けを、切欠き群を介して、雄ねじ部の側方からはめ込むように行うことができる。つまり、支持脚を販売機本体に取り付けた状態のまま、その支持脚の雄ねじ部にカバー保持部材を取り付けることができる。したがって、支持脚が販売機本体に既に取り付けられている自動販売機を梱包する際には、支持脚を販売機本体から取り外すことなく、カバー保持部材を支持脚の雄ねじ部に容易に取り付けることができる。
【００２１】
【発明の実施の形態】
以下、図面を参照しながら、本発明の好ましい実施形態を詳細に説明する。図１〜３は、本発明の実施形態による自動販売機の梱包装置１を示している。これらの図に示すように、この梱包装置１は、前述した図８に示す従来のパレット３３を廃止し、これに代えて、販売機本体２の底面の四隅に設けられた支持脚（レベリング）３に、支持脚カバー４をそれぞれ装着するものであり（図１では前側の２個のみ図示）、図１には図示しないが、図８に示す従来のカバー袋３４、キャップ３５およびＰＰバンド３６、３６は同様に用いられている。なお、各支持脚３にそれぞれ装着された支持脚カバー４は、構成が互いに同一であるので、以下の説明では、それらの一つについてのみ説明する。
【００２２】
販売機本体２の底面に設けられた４つの支持脚３は、自動販売機を設置場所の基礎に固定するとともに、その水平調整を行うために、販売機本体２に一般的に設けられているものである。図２などに示すように、支持脚３は、金属製のさら付き六角ボルトであり、所定の長さを有するとともに外周面に雄ねじが形成された軸部１１（雄ねじ部）と、この軸部１１の一端部（図２では下端部）に設けられたさら付き頭部１２（ねじ頭部）とによって構成されている。このさら付き頭部１２は、軸部１１の直径よりも幅広の六角頭部１２ａと、これよりも幅広でかつ平面形状が円形のさら部１２ｂとによって構成されている。このように構成された支持脚３は、販売機本体２のベース部２ａの四隅にそれぞれ固定されたナット部材１３に、上下方向に進退自在に螺合している。
【００２３】
支持脚カバー４は、紙（板紙）や樹脂などからなり、図２に示すように、肉厚円筒状に形成されている。この支持脚カバー４は、その内径が支持脚３のさら部１２ｂの直径よりも若干大きくなっており、またその高さについては、図示しないフォークリフトのフォークの厚みよりも長くなっている。このように形成された支持脚カバー４は、図３に示すように、支持脚３の軸部１１に取り付けられた肉厚円筒状のカバー保持部材１４を介して、支持脚３に装着される。
【００２４】
このカバー保持部材１４は、例えば段ボールなど、ある程度の厚みを有する板紙からなり、図４に示すように、所定形状の板紙を折り畳んで形成されている。具体的に説明すると、この所定形状の板紙（以下「カバー保持部材用板紙１４」という）は、同図（ａ）の展開図に示すように、複数（本実施形態では６つ）の円板部１５が一列に連なるように形成されている。各円板部１５は、その外径が支持脚カバー４の内径と同じか、あるいは円板部１５の外径の方が若干大きくなっている。また、各円板部１５には、その中心部に、支持脚３の軸部１１の直径とほぼ同じ直径を有する孔１６が形成されるとともに、この孔１６から外周面に向かってその途中まで延びる２つのスリット（第１スリット１７および第２スリット１８）が形成されている。両スリット１７、１８は、孔１６を間にして、円板部１５が互いに連なる方向（図４（ａ）では上下方向）と直交する方向（同図では左右方向）に延びており、加えて、各円板部１５には、第１スリット１７に連なり、外周面側に向かって次第に幅が広がる扇形状の切欠き１９が形成されている。
【００２５】
また、図４（ａ）、（ｂ）に示すように、カバー保持部材用板紙１４の一方の面（表面または裏面）には、２つの円板部１５、１５ごとに区切るように、他方の面（裏面または表面）に達しない程度の切り込み１４ａ、１４ａが形成されている。このような切り込み１４ａ、１４ａを形成することにより、カバー保持部材用板紙１４が折り畳みやすくなるとともに、カバー保持部材用板紙１４の一方の面にのみ形成することで、両面に形成する場合に比べて、カバー保持部材用板紙１４を低コストで製造することができる。
【００２６】
このように形成されたカバー保持部材用板紙１４を、図４（ｂ）、（ｃ）に示すように、折り畳むことによって、肉厚円筒状のカバー保持部材１４が形成される。具体的には、上記切り込み１４ａ、１４ａを外側に向けた状態で、この部分を山折りし、それ以外の円板部１５、１５間の境界部分を谷折りして、カバー保持部材用板紙１４を折り畳む。これにより、同図（ｃ）、（ｄ）に示すように、各円板部１５が互いに重なり合うとともに、各円板部１５ごとに形成された第１スリット１７、第２スリット１８および切欠き１９も、それぞれ対応するもの同士が重なり合った状態で、カバー保持部材１４が形成される。つまり、このカバー保持部材１４には、各孔１６による孔群２１、各第１スリット１７による第１スリット群２２、各第２スリット１８による第２スリット群２３および各切欠き１９のよる切欠き群２４が形成される。
【００２７】
ここで、梱包装置１による自動販売機の梱包および開梱について、特に、支持脚３への支持脚カバー４の装着および取り外しを中心に説明する。支持脚カバー４を支持脚３に装着する場合には、例えば次のようにして行う。すなわち、ナット部材１３への支持脚３のねじ込みに先立ち、まず、支持脚３の軸部１１をカバー保持部材１４に、その孔群２１の一端から挿通し、他端から軸部１１の先端部を突出させる。そして、支持脚３と一体となったカバー保持部材１４を支持脚カバー４にその一端から挿入する。上述したように、カバー保持部材１４（円板部１５）の外径は、支持脚カバー４の内径と同じか、あるいはそれよりも若干大きいので、カバー保持部材１４を挿入する際には、これを支持脚カバー４の一端から他端に向かって押圧しながら、あるいはこの押圧ともに回しながら、カバー保持部材１４を支持脚カバー４に圧入する。そして、カバー保持部材１４および支持脚３の頭部１２を、支持脚カバー４の内部に完全に収容する。この場合、支持脚３の軸部１１の先端部は、支持脚カバー４の他端から突出した状態となる。なお、カバー保持部材１４を支持脚カバー４に収容してから、支持脚３をカバー保持部材１４に挿通するようにしてもよい。
【００２８】
上記のように、支持脚３、カバー保持部材１４および支持脚カバー４を一体とした後、支持脚カバー４の上端が販売機本体２の底面、すなわちベース部２ａに当接するまで、支持脚カバー４から突出している支持脚３の軸部１１の先端部を、ナット部材１３にねじ込む。これにより、図３に示すように、支持脚３への支持脚カバー４の装着が完了する。なお、他の支持脚３についても、同様にして、支持脚カバー４を装着する。
【００２９】
このように、自動販売機の梱包において、支持脚カバー４を各支持脚３にそれぞれ装着することで、その自動販売機は、４つの支持脚カバー４によって支持されることとなる。
【００３０】
一方、梱包されている自動販売機を開梱する場合には、自動販売機を地面などの支持面に置いた後、従来と同様に、カバー袋３４、キャップ３５およびＰＰバンド３６を取り外す。そして、その自動販売機を若干傾斜させることで、各支持脚カバー４を支持面から交互に浮かせ、支持脚カバー４を支持脚３から引き抜いて、順次取り外す。またこれとともに、支持脚３から、カバー保持部材１４を裂くようにして取り外す。具体的には、カバー保持部材１４の上記切欠き群２４に指を引っかけ、第１スリット群２２を、軸部１１の直径よりも大きく横方向に広げながら、カバー保持部材１４を軸部１１からその軸線と直交する方向に引き抜く。これにより、支持脚３を販売機本体２から取り外すことなく、カバー保持部材１４を容易に取り外すことができる。このようにして、全ての支持脚カバー４およびカバー保持部材１４を支持脚３から取り外して、自動販売機の開梱が完了する。
【００３１】
また、カバー保持部材１４として、図５〜図７に示すように、幅広の切欠き群２５を有するものを使用してもよい。このカバー保持部材１４では、図７（ａ）に示すように、カバー保持部材用板紙１４の各切欠き１９は、孔１６から外周面に達するように延びるとともに、その幅が孔１６の縁部で孔１６の直径よりも若干小さく且つ外周面側に向かって次第に広がるように形成されている。したがって、このような切欠き１９を有するカバー保持部材用板紙１４を、上記と同様にして折り畳むことによって、幅広の切欠き群２５を有するカバー保持部材１４を形成することができる。
【００３２】
このようなカバー保持部材１４を使用して、支持脚カバー４を支持脚３に装着する場合には、上記と異なり、まず、切欠き群２５を介して、カバー保持部材１４を支持脚３の軸部１１の側方からはめ込むようにしてこれに取り付ける。次いで、自動販売機を若干傾斜させることで、カバー保持部材１４を取り付けた支持脚３を交互に浮かせ、その支持脚３およびカバー保持部材１４を支持脚カバー４の一端から挿入させるようにして、支持脚カバー４を支持脚３に装着する。このように、幅広の切欠き群２５を有するカバー保持部材１４を使用する場合には、支持脚３を販売機本体２に取り付けた状態のまま、その支持脚３の軸部１１にカバー保持部材１４を取り付けることができる。したがって、支持脚３が販売機本体２に既に取り付けられている自動販売機を梱包する際には、支持脚３を販売機本体２から取り外すことなく、カバー保持部材１４を支持脚３の軸部１１に容易に取り付けることができ、梱包作業の効率を高めることができる。
【００３３】
以上のように、本実施形態の梱包装置１によれば、支持脚カバー４が、カバー保持部材１４を介して、各支持脚３にそれぞれしっかりと装着され、これらの支持脚カバー４によって、販売機本体２を支持するとともに、販売機本体２とその支持面との間に所定寸法（例えば６０ｍｍ）以上の隙間を確保することができる。したがって、その隙間にフォークリフトのフォークを挿入して、自動販売機を持ち上げても、支持脚カバー４が支持脚３から脱離することなく、自動販売機をフォークリフトで適切に移動させることができる。このように、各支持脚３にそれぞれ装着した支持脚カバー４によって、従来のパレット３３に要求される機能を確保することができるので、パレット３３を使用しなくても、フォークリフトによる自動販売機の移動・運搬を安定して行うことができ、パレット３３を省略できる分、梱包材の使用量および廃棄量を削減し、省資源化を促進することができる。
【００３４】
また、支持脚カバー４を支持脚３に装着することで、支持脚３が保護されるので、自動販売機をフォークリフトで移動・運搬する際に、フォークが支持脚３に直接、接触することや、これに起因する支持脚３の損傷などを防止することができる。さらに、カバー保持部材１４の製造は、段ボールなどの板紙に適宜、スリットや切欠きを形成するとともに、その板紙を折り畳むことによって行われるので、カバー保持部材１４を容易かつ低コストで得ることができ、加えて、支持脚３の軸部１１の長さに合わせて、カバー保持部材１４の高さ調整を容易に行うこともできる。
【００３５】
なお、実施形態では、所定形状の板紙を折り畳んで、カバー保持部材１４を形成したが、本発明はこれに限定されるものではなく、支持脚カバー４を支持脚３にしっかりと装着させるものであれば、例えば、予め肉厚円筒状に成形されたものなど、いかなるものをカバー保持部材として使用してもよい。また、カバー保持部材１４を形成する場合には、複数の円板部１５を有する板紙１４を折り畳むだけではなく、円板部１５と同じ形状および大きさの単一の板紙を複数用いて、カバー保持部材１４を形成してもよい。さらに、円板部１５の孔１６については、すべてを支持脚３の軸部１１の直径と同じにしなくてもよく、孔１６の直径を、交互あるいは数個ごとなど、適宜、軸部１１のそれよりも大きくすることが好ましい。この場合には、軸部１１を孔１６に挿入する際に、その引っかかりが少なくなり、これにより、挿入を容易に行うことが可能となる。また、実施形態で示した支持脚カバー４やカバー保持部材１４の細部の構成などは、あくまで例示であり、本発明の趣旨の範囲内で適宜、変更することができる。
【００３６】
【発明の効果】
以上詳述したように、本発明の自動販売機の梱包装置は、梱包装置に要求される機能を維持しながら、梱包材の使用量および廃棄量を可能な限り削減することで、省資源化を促進することができるなどの効果を有する。
【図面の簡単な説明】
【図１】本発明の実施形態による梱包装置を取り付けた自動販売機の正面図である。
【図２】支持脚への装着前の支持脚カバーおよびカバー保持部材を示す斜視図である。
【図３】カバー保持部材を介して支持脚カバーを支持脚に装着した状態を示す斜視図である。
【図４】図２のカバー保持部材を示す図であり、（ａ）は展開図、（ｂ）は折り畳み途中の状態を示す側面図、（ｃ）および（ｄ）はそれぞれ、折り畳んだ状態を示す側面図および平面図である。
【図５】支持脚への装着前の支持脚カバーおよび他のカバー保持部材を示す斜視図である。
【図６】図５のカバー保持部材を介して支持脚カバーを支持脚に装着した状態を示す斜視図である。
【図７】図５のカバー保持部材を示す図であり、（ａ）は展開図、（ｂ）は折り畳み途中の状態を示す側面図、（ｃ）および（ｄ）はそれぞれ、折り畳んだ状態を示す側面図および平面図である。
【図８】従来の一般的な自動販売機の梱包装置を示す斜視図である。
【符号の説明】
１      梱包装置
２      販売機本体
３      支持脚
４      支持脚カバー
１１    軸部（雄ねじ部）
１２    さら付き頭部（ねじ頭部）
１４    カバー保持部材
１６    孔
１７    第１スリット
１８    第２スリット
１９    切欠き
【図１】
0003954786.tif 000002
【図２】
0003954786.tif 000003
【図３】
0003954786.tif 000004
【図４】
0003954786.tif 000005
【図５】
0003954786.tif 000006
【図６】
0003954786.tif 000007
【図７】
0003954786.tif 000008
【図８】
0003954786.tif 000009